(57)【要約】【課題】定期入れを入れているバッグ類を外部から一目で見つけることができ、また、バック類に対して簡単に着脱することができる備忘チェーンを提供する。【解決手段】第１チェーン１０と、この一方の端部１０ａと他方の端部１０ｂとにそれぞれ取り付けられて相互に係脱可能な第１の留め具３０，第２の留め具４０と、一方の端部２０ａが第２の留め具４０に連結されるとともに、先端側に定期入れＰが取り付けられる第２チェーン２０と、第１チェーン１０の中間部１０ｃに取り付けられて、使用者が視認することで使用者に定期入れＰの存在を喚起させる連想グッズ５０と、を備え、取り外された状態の留め具３０，４０を把手Ｈの奥側で係合させて、第１チェーン１０を把手Ｈにループ状に装着し、第１チェーン１０を介して連想グッズ５０をバッグ本体Ｍの正面側に露出させた。【選択図】図１
2011110145.tif 000002
【特許請求の範囲】
【請求項１】
バッグ本体と前記バッグ本体に固定部を介してループ状に固定された把手とを有するバッグ類に装着されて使用される備忘チェーンにおいて、
第１チェーンと、
前記第１チェーンの一方の端部と他方の端部とにそれぞれ取り付けられて相互に係脱可能な第１の留め具，第２の留め具と、
一方の端部が前記第２の留め具に連結されるとともに、先端側に定期入れが取り付けられる第２チェーンと、
前記第１チェーンの中間部に取り付けられて、使用者が視認することで前記使用者に前記定期入れの存在を喚起させる連想グッズと、を備え、
取り外された状態の前記第１の留め具と前記第２の留め具とを前記把手の奥側で係合させて、前記第１チェーンを前記把手の前記固定部の近傍にループ状に装着し、第１チェーンを介して前記連想グッズを前記バッグ本体の正面側に露出させるとともに、前記第２チェーンを介して、前記定期入れを前記バッグ本体の内外に出し入れ自在とした、
ことを特徴とする備忘チェーン。
【請求項２】
前記第２チェーンは、他方の端部が前記第１の留め具に連結されていて、前記先端側となる中間部に前記定期入れが取り付けられる、
ことを特徴とする請求項１に記載の備忘チェーン。
【請求項３】
前記第１の留め具と前記第２の留め具とのうちの一方の留め具は、開口部のある環状の本体と、前記開口部を開閉する開閉機構とを有している、
ことを特徴とする請求項１又は２に記載の備忘チェーン。
【請求項４】
前記第１チェーン及び前記第２チェーンは、複数の環状ピースを線状に連結して構成されていて、前記一方の留め具は、前記複数の環状ピースに対して係脱可能であり、また、係脱させる環状ピースを変更可能である、
ことを特徴とする請求項３に記載の備忘チェーン。
【請求項５】
前記他方の係合具は、前記複数の環状ピースのうちの１つによって構成されている、
ことを特徴とする請求項４に記載の備忘チェーン。
【請求項６】
前記第１の留め具と前記第２の留め具とは、開口部のある環状の本体と、前記開口部を開閉する開閉機構とを有している、
ことを特徴とする請求項２に記載の備忘チェーン。
【請求項７】
前記連想グッズの取り付け個数を、定期の残りの期間に対応させる、
ことを特徴とする請求項１ないし６のいずれか１項に記載の備忘チェーン。
【請求項８】
前記連想グッズがパワーストーンである、
ことを特徴とする請求項１ないし７のいずれか１項に記載の備忘チェーン。
【発明の詳細な説明】
【技術分野】
【０００１】
本発明は、バッグ類の内側に定期入れを入れたことを忘れないようにするための備忘チェーンに関する。
【背景技術】
【０００２】
従来、男性においては、スーツやズボン等の衣類のポケットに入れた財布や定期入れを落としたり、あるいは掏られたりすることを防止するために、これら財布や定期入れと、衣類の一部とをチェーンでつなぐことが行われている（例えば、特許文献１，２参照）。
【０００３】
一方、女性にあっては、バッグやかばん（以下「バッグ類」という。）に定期入れを入れて、駅の改札やバスの乗降の際に、定期入れをバックから取り出して使用後に再びバック類にしまうという動作を行う。この場合も、定期入れの落下や盗難を防止するために、バッグ類の一部と定期入れとをチェーンでつなぐことがよく行われる。
【先行技術文献】
【特許文献】
【０００４】
【特許文献１】実開平６−２６５３５号公報
【特許文献２】実用新案登録第３０７４０５８号
【発明の概要】
【発明が解決しようとする課題】
【０００５】
しかしながら、チェーンでつないだ定期入れをバッグ類に入れた場合には、定期入れをどこにしまったのか忘れてしまうことがしばしばあった。
【０００６】
すなわち、定期入れを衣類のポケットに入れる場合には、例えば、帰宅して衣類を着替える際に、定期入れを決まったところに置くのが一般的である。一方、定期入れをバック類に入れる場合には、帰宅後に、特にバック類から取り出す必要がないため、そのままバック類に入れたままとなることが多い。この場合、バッグ類の外からは、チェーンも定期入れも見えない。チェーンの基端部は、バック類の内側のフックに掛けられていて、チェーン全体も定期入れもバック類の内側に収納されてしまうため、外部からチェーン及び定期入れを見ることは困難である。
【０００７】
さらに、バッグ類は、複数個（例えば、数個）所有することがよくあり、どのバック類に入れていたかを忘れてしまうことがある。特に、休み明けや連休明けや、長期休暇の後等には、定期入れを探し回る嵌めに陥る。
【０００８】
そこで、本発明は、定期入れを入れているバッグ類を外部から一目で見つけることができ、また、バック類に対して簡単に着脱することができる備忘チェーンを提供することを目的とするものである。
【課題を解決するための手段】
【０００９】
上記目的を達成するために、本発明は、バッグ本体と前記バッグ本体に固定部を介してループ状に固定された把手とを有するバッグ類に装着されて使用される備忘チェーンにおいて、第１チェーンと、前記第１チェーンの一方の端部と他方の端部とにそれぞれ取り付けられて相互に係脱可能な第１の留め具，第２の留め具と、一方の端部が前記第２の留め具に連結されるとともに、先端側に定期入れが取り付けられる第２チェーンと、前記第１チェーンの中間部に取り付けられて、使用者が視認することで前記使用者に前記定期入れの存在を喚起させる連想グッズと、を備え、取り外された状態の前記第１の留め具と前記第２の留め具とを前記把手の奥側で係合させて、前記第１チェーンを前記把手の前記固定部の近傍にループ状に装着し、第１チェーンを介して前記連想グッズを前記バッグ本体の正面側に露出させるとともに、前記第２チェーンを介して、前記定期入れを前記バッグ本体の内外に出し入れ自在とした、ことを特徴とする。
【００１０】
上記構成によれば、第１の留め具と第２の留め具とを係合させるといった１アクションで、第１チェーンをバッグ類の把手の固定部近傍に取り付けて、この第１チェーンを介して連想グッズをバッグ本体の正面側に露出させ、かつ、先端側に定期が取り付けられた第２チェーンをバッグ類に取り付けることができる。つまり、備忘チェーン全体をバッグ類に１アクションで簡単に装着することができ、装着後には、連想グッズがバッグ本体の正面側に露出されて目立つので、使用者はこれを見て、バッグ類の内側に定期入れが入っていることが一目でわかる。また、備忘チェーン全体をバッグ類から取り外すには、第１の留め具と第２の留め具との係合を解除するだけで、簡単に取り外すことができる。しかも、備忘チェーンは、取り外し後にも、全体が一体となっているので、一部が散逸されたりするおそれがない。このように、備忘チェーンは、バッグ類に対する着脱が極めて容易であるので、持ち歩くバック類を交換する場合でも、前のバッグ類から取り外して簡単に次のバッグ類に取り付けることができる。
【００１１】
また、上記構成において、前記第２チェーンは、他方の端部が前記第１の留め具に連結されていて、前記先端側となる中間部に前記定期入れが取り付けられるようにしてもよい。この構成によれば、備忘チェーンをバッグ類に取り付けた際に、第２チェーンがループ状になるので、ループ状でない場合と比較して、例えば、第２チェーンを掴んでバック類から定期入れを出し入れする際に、第２チェーンを掴みやすい。
また、上記構成において、前記第１の留め具と前記第２の留め具とのうちの一方の留め具は、開口部のある環状の本体と、前記開口部を開閉する開閉機構とを有しているようにしてもよい。この構成によれば、開閉機構により環状の本体の開口部を開閉することで、他方の留め具に係脱させることができる。
【００１２】
また、上記構成において、前記第１チェーン及び前記第２チェーンは、複数の環状ピースを線状に連結して構成されていて、前記一方の留め具は、前記複数の環状ピースに対して係脱可能であり、また、係脱させる環状ピースを変更可能である、ようにしてもよい。この構成によれば、一方の留め具は、開閉機構を利用して、任意の環状ピースに係脱させることができるので、第１チェーンや第２チェーンの長さを簡単に変更することができる。
【００１３】
また、上記構成において、前記他方の係合具は、前記複数の環状ピースのうちの１つによって構成されている、ようにしてもよい。この構成によれば、他方の係合部を別部材で特別に設ける必要がなく構成を簡略化することができるとともに、どの環状ピースをも他方の係合具として利用することが可能となる。
【００１４】
また、上記構成において、前記第１の留め具と前記第２の留め具とは、開口部のある環状の本体と、前記開口部を開閉する開閉機構とを有している、ようにしてもよい。この構成によれば、第１の留め具及び第２の留め具によって連結されている、第１チェーンと第２チェーンとの連結を解除して、別の第１チェーンと第２チェーンとの組み合わせを簡単に実現することができる。
【００１５】
また、上記構成において、前記連想グッズの取り付け個数を、定期の残りの期間に対応させる、ようにしてもよい。この構成によれば、目に付きやすい連想グッズの個数を確認することで、定期の残り期間を知ることができる。
【００１６】
また、上記構成において、前記連想グッズがパワーストーンである、ようにしてもよい。この構成によれば、パワーストーンの効能を期待する使用者にとっては、パワーストーンは、定期入れの収納忘れを気付かせる効果に加え、さらにそれ自体の効能が付加されることになる。
【発明の効果】
【００１７】
本発明によれば、連想グッズがバッグ類における目に付きやすい箇所に露出されるので、それを見た使用者は、そのバッグ類の中に定期入れが収納されていることに簡単に気づくことができる。また、備忘チェーン全体を、簡単な１アクションでバッグ類に着脱することができる。このため、定期入れを入れて持ち歩くバッグ類を簡単に交換することができる。
【図面の簡単な説明】
【００１８】
【図１】バッグ類Ｂに装着された状態の実施形態１の備忘チェーン１全体を説明する図であって、定期入れＰをバッグ類Ｂから取り出した状態を示す図である。
【図２】実施形態１の備忘チェーン１の全体を説明する図である。
【図３】実施形態２の備忘チェーン２の全体を説明する図である。
【発明を実施するための形態】
【００１９】
以下、本発明の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
＜実施形態１＞
【００２０】
図１〜図２を参照して、本発明を適用した実施形態１に係る備忘チェーン1について説明する。
【００２１】
図１はバッグ類Ｂに装着された状態の備忘チェーン１全体を説明する図であって、定期入れＰをバッグ類Ｂから取り出した状態を示す図である。
【００２２】
備忘チェーン１の説明に先立ち、備忘チェーン１の装着対象となるバッグ類Ｂについて説明する。バッグ類Ｂとしては、バッグ本体Ｍと把手Ｈとを有するものであれば、種々のものを使用することができる。例えば、ハンドバッグ，トートバッグ，買い物バッグ等のバッグをはじめ、アタッシュケース，鞄等を使用することができる。なお、以下の説明では、バッグ類Ｂがトートバッグである場合を例に説明する。
【００２３】
バッグ類Ｂは、バッグ本体Ｍの上方に開口部Ｍ１を有しており、この開口部Ｍ１から定期入れＰを出し入れすることができるようになっている。また、把手Ｈは、その一方の端部Ｈ１及び他方の端部Ｈ２がそれぞれ固定部Ｆ１，Ｆ２を介してバッグ本体Ｍに固定されている。
【００２４】
備忘チェーン１は、第１チェーン１０と、第２チェーン２０と、第１の留め具３０と、第２の留め具４０と、連想グッズ５０とを備えており、第１の留め具３０と第２の留め具４０とを係合させることで、バッグ類Ｂの把手Ｈに装着することができる。
【００２５】
図２は、備忘チェーン１の全体を説明する図である。
【００２６】
第１チェーン１０は、湾曲及び屈曲が自在なチェーンであって、適度な強度を有するものが好ましい。第１チェーン１０は、後述するように備忘チェーン１がバッグ類Ｂに装着されてこのバッグ類Ｂを使用者が持ち歩いた際に、通行中に他の突起物等に引っ掛ける等のおそれがある。このため、引っかかったり、強く引っ張ったりした場合でも、簡単には切断されない程度の強度を有するものが好ましい。このため、例えば、ネックレスに使用するような細いチェーンではなく、財布や定期入れを衣類のポケットに入れて使用する場合に、衣類と財布等をつなぐのに使用するチェーン、いわゆるウォレットチェーン等を好適に使用することができる。
【００２７】
第１チェーン１０は、一方の端部１０ａが後述する第１の留め具３０に連結され、他方の端部１０ｂが第２の留め具４０の連結されている。第１チェーン１は、第１の留め具３０と第２の留め具４０とを係合させた際には、小さいループ（後述する第２チェーン２０と比較して）を形成し、係合を解除させた際には、紐状に延びるようになっている。第１チェーンとしては、例えばウォレットチェーンを使用することができる。
【００２８】
第２チェーン２０は、上述の第１チェーン１０と同様の、例えばウォレットチェーンを好適に使用することができ、第１チェーン１０よりも長さが長いものが使用される。第２チェーン２０は、一方の端部２０ａが後述する第１の留め具３０に連結され、他方の端部２０ｂが第２の留め具４０に連結されている。第２チェーン１は、第１の留め具３０と第２の留め具４０とを係合させた際には、大きいループ（第１チェーン１０と比較して）を形成し、係合を解除させた際には、紐状に延びるようになっている。第２チェーン２０の中間部２０ｃには、鎖２０ｄを介して、定期入れＰが取り付けられている。なお、この中間部２０ｃは、第２チェーン２０をそのループを潰して紐状に長く延ばした状態においては、先端側に相当する。
【００２９】
第１チェーン１０，第２チェーン２０は、上述のようにそれぞれの一方の端部１０ａ，２０ａが第１の留め具３０に連結され、また、それぞれの他方の端部１０ｂ，２０ｂが第２の留め具４０に連結されている。このため、第１の留め具３０と第２の留め具４０とを係合させさえすれば、第１チェーン１０及び第２チェーン２０の双方ともが同時に閉ループを構成することができる。
【００３０】
一方の留め具３０の一例として、図２に「引き輪」と呼ばれるものを図示する。引き輪３０Ａは、ネックレス等の留め具として一般に使用されるものであり、略リング状に形成されていて、開閉機構３４を有している。引き輪３０Ａは、一部が切り欠かれて開口部３０ａとなる中空円環状のパイプ（本体）３１と、ノブ３２と一体に形成されていて、パイプ３１の内側に移動可能に挿入された円弧状のスライダ３３とを有している。スライダ３３は、自然状態においては、ばね（不図示）に付勢されて開口部３０ａを閉鎖している。開閉機構３４は、ノブ３２とスライダ３３とばねとによって構成されている。スライダ３３は、図２中のノブ３２を左方に引くと、ばねの付勢力に抗して、開口部３０ａを開放する。開口部３０ａの開口幅（パイプ３１の周方向に沿っての長さ）は、次に説明する他方の留め具４０としてのリング４０Ａの太さよりも大きくなるように設定されている。引き輪３０Ａには、第１チェーン１０及び第２チェーン２０の一方の端部１０ａ，２０ａが取り付けられて（連結されて）いる。
【００３１】
他方の留め具４０は、リング４０Ａによって構成されている。リング４０Ａには、第１チェーン１０及び第２チェーン２０の他方の端部１０ｂ，２０ｂが取り付けられて（連結されて）いる。リング４０の内径は、引き輪４０Ａのパイプ３１の太さよりも大きく設定されていて、リング４０Ａの内側に、引き輪３０Ａのパイプ３１を挿入できるようになっている。
【００３２】
引き輪３０Ａとリング４０Ａとは、引き輪３０Ａのノブ３２を引いて開口部３０ａを開放し、パイプ３１をリング４０Ａの内側に挿入し、その後、ノブ３２を離すことで、ばねの作用で開口部３０ａが閉鎖されることにより係合することができる。なお、引き輪３０Ａとリング４０Ａとの係合を解除するには、上述の係合動作の逆の手順を行えばよい。
【００３３】
連想グッズ５０は、第１チェーン１０の中間部１０ｃに取り付けられている。連想グッズとしては、チャーム，ビーズ，パワーストーン等の任意のものを取り付けることができる。なお、連想グッズ５０として、パワーストーンを採用する場合には、パワーストーン自体の効能を期待する使用者にとっては、それ自体の効能も享受することができるので有効である。図示例では、星形，十字形，ハート形の連想グッズ５０が取り付けられている。連想グッズ５０は、使用者がこれを見たときに、即、定期入れＰを思い浮かべることができるものが好ましい。また、連想グッズ５０は、例えば、上述の引き輪３０Ａと同様なものを使用して、第１チェーン１０に対して着脱容易に取り付けるようにすることもできる。この場合、例えば、連想グッズ５０の取り付け個数を、定期入れＰに収納している定期（不図示）の残り期間に対応するようにしてもよい。例えば、残り期間が０〜１０日の場合は１個、１１〜２０日の場合は２個、２１〜３０日の場合は３個というように。なお、連想グッズ５０は、第１チェーン１０の中間部１０ｃに対して、その長手方向に沿って移動不能に取り付けても、また、移動可能に取り付けてもよい。後述するように、第１チェーン１０の長さが変更可能である場合には、連想グッズ５０は移動可能に取り付けておくのが好適である。
【００３４】
備忘チェーン１は、以上説明したように、バッグ類Ｂに対しする装着時はもちろん、バッグ類Ｂから取り外した状態においてもばらばらになることなく、全体が一体に構成されている。つまり、定期入れＰと連想グッズ５０とが常に一体となっている。このため、連想グッズ５０のあるところには、必ず定期入れＰがあることになる。
【００３５】
次に、上述構成の備忘チェーン１のバッグ類Ｂに対する着脱方法、作用・効果について説明する。
【００３６】
備忘チェーン１をバッグ類Ｂに装着するには以下のようにする。
【００３７】
図１に示す例では、バッグ類Ｂの２本ある把手Ｈのうちの一方の把手Ｈにおける、一方の端部Ｈ１側、つまり、一方の把手Ｈの固定部Ｆ１近傍に装着する。
【００３８】
備忘チェーン１の引き輪３０Ａとリング４０Ａとの係合を解除して、両者を離間させる。そして、両者を離間させたまま、図２に示すような、第１チェーン１０，第２チェーン２０を自然に垂れ下がった状態とし、第１チェーン１０の中間部１０ｃが把手Ｈの手前側に位置するようにして、引き輪３０Ａとリング４０Ａとを把手Ｈの奥側に回して、両者を係合させる。これにより、図１に示すように、第１チェーン１０を介して、連想グッズ５０をバッグ類Ｂの正面側に配置して目立つようにすることができる。なお、バッグ類Ｂに、特に正面側と裏面側との区別がない場合には、連想グッズ５０が配置される側を正面側として、例えば、バッグ類Ｂを壁に掛けたり、収納ボックスにしまったりする場合には、この正面側が常に手前側、つまり使用者から視認できる側に位置するようにする。このようにすることで、例えば、複数個のバッグ類Ｂを所有していて、定期入れＰを入れて持ち歩くバッグ類Ｂを適宜交換するため、どのバッグ類Ｂに定期入れＰを入れたか忘れてしまったような場合でも、バッグ類Ｂの中まで捜すことなく、連想グッズ５０を見つけることで、そのバッグ類Ｂに定期入れＰが入っていることが直ちにわかる。このため、例えば、物忘れが進行した老人等にとっては、連想グッズ５０が定期入れＰを探す手掛かりとなり、また、女子高生等にとっては、連想グッズ５０が、定期入れＰを探す手掛かりとなるのに加えて、おしゃれなグッズとしても活用される。
【００３９】
なお、上述では、一方の留め具３０，他方の留め具４０として、図２に示すような構成の引き輪３０Ａ，リング４０Ａの組み合わせについて使用したが、これに限定されるものでなく、一方の留め具３０が開閉機構３４を有していて、他方の留め具４０に簡単に係脱できるものであれば、他の構成のものを使用することもできる。例えば、開閉機構３４を有する一方の留め具３０として、「カニカン」と呼ばれる、開閉機構付きの小型のフックを使用することができる。
【００４０】
また、上述では、備忘チェーン１のバッグ類Ｂへの装着状態において、第２チェーン２０がループ状を形成するようにしたが、これに代えて、図２に示す備忘チェーン１の略半分を省略して１本の紐状となるようにしてもよい。すなわち、図２に示す備忘チェーン１のうち、定期入れＰの鎖２０ｄが取り付けられている部分の左側近傍からはじまって、引き輪３０Ａに至る部分までを省略する。これにより、備忘チェーン１の全体構成を簡略化することが可能となる。ただし、図２に示すように、第２チェーン２０をループ状に構成した場合には、バッグ類Ｂの内側に収納されている定期入れＰを取り出す際に、バッグ類Ｂの内側に手を突っ込んで手探りで第２チェーン２０を引っ張ってこれについている定期入れＰを取り出すような場合には、第２チェーン２０はバッグ類Ｂの内側では２本となっているため、紐状の１本の場合よりも、取り出し動作を確実に行うことができる。
【００４１】
なお、図２に示す例では、引き輪３０Ａ（一方の留め具３０）とリング４０Ａ（他方の留め具４０）との取り付け位置を逆にすることも可能である。
【００４２】
以上の説明では、第１の留め具３０は開閉機構３４を有し、第２の留め具４０は開閉機構を有していない場合を説明したが、これに代えて、第１の留め具３０と第２の留め具４０との双方とも開閉機構を有するようにしてもよい。この場合には、第１チェーン１０や第２チェーン２０を、例えば、長さやデザインの異なるものに簡単に変更することができる。
＜実施形態２＞
【００４３】
図３を参照して、本発明を適用した実施形態２の備忘チェーン２について説明する。
【００４４】
図３は、備忘チェーン２の全体を説明する図である。
【００４５】
図示例では、第１チェーン１０と第２チェーン２０とは、多数の環状ピースＡ（Ａ１〜Ａ１２，…）を線状に連結することで構成されている。さらに、第１チェーン１０と第２チェーン２０とが一体に連結されていて、全体として一連の大きな閉ループを構成している。また、図示例では、第１の留め具３０として、実施形態１と同様の引き輪３０Ａを使用しているが、実施形態１と同様、カニカン等の他のものを使用することも可能である。
【００４６】
図３に示すように、本実施形態では、環状ピースＡ３に引き輪３０Ａを取り付け、さらに、この状態で引き輪３０Ａを第２の留め具４０としての環状ピースＡ９に係合させている。この係合により、一連の閉ループが、引き輪３０Ａ及び環状ピースＡ９を境として、第１チェーン１０と第２チェーン２０とに分けられる。すなわち、第１チェーン１０は、一方の端部１０ａに位置する環状ピースＡ３が引き輪３０Ａに連結され、他方の端部１０ｂに位置する環状ピースＡ８が他方の留め具４０として作用する環状ピースＡ９に連結されている。これに対し、第２チェーン２０は、一方の端部２０ａに位置する環状ピースＡ３が引き輪３０Ａに連結され、他方の端部２０ｂに位置する環状ピースＡ１０が他方の留め具４０として作用する環状ピースＡ９に連結されている。なお、この例では、環状ピースＡ３は、第１チェーン１０と第２チェーン２０の一方の端部１０ａ，２０ａとして共通に使用されている。
【００４７】
本実施形態によれば、引き輪３０Ａを取り付ける環状ピースＡを、環状ピースＡ３以外の任意の環状ピースＡ、例えば、環状ピースＡ１，Ａ２，Ａ４，Ａ５等に変更することができ、かつ、引き輪３０Ａを係合させる環状ピースＡを、環状ピースＡ９以外の任意の環状ピースＡ、例えば、環状ピースＡ６〜Ａ８，Ａ１０〜Ａ１２等に変更することができる。このため、第１チェーン１０及び第２チェーン２０の長さを自由に変更することができる。ただし、第１チェーン１０が長くなるとその分、第２チェーン２０が短くなり、逆に、第１チェーン１０が短くなるとその分、第２チェーン２０が長くなるという関係にある。また、この例では、特に第２の留め具４０を設ける必要がなく、第１の留め具３０としての引き輪３０Ａが係合される環状ピースＡが、第２の留め具４０として作用されることになる。さらに、本実施形態では、第１チェーン１０及び第２チェーン２０の長さを変更するに際して、第１の留め具３０としての引き輪３０Ａと、第２の留め具４０として作用する環状ピースＡとの双方を移動させて行うことが可能であるので、例えば、連想グッズ５０が第１チェーン１０の中間部１０ｃに位置変更不能に取り付けられている場合でも、これら連想グッズ５０が長さ変更後の第１チェーン１０の中間部１０ｃに配置されるようにすることが可能である。
【００４８】
なお、本実施形態の備忘チェーン２についても、バッグ類Ｂの把手Ｈに対する着脱方法は、上述の実施形態１と同様であるので説明は省略する。
【００４９】
本実施形態によると、上述の実施形態１と同様の作用・効果に加え、さらに、第１チェーン１０及び第２チェーン２０の長さを簡単に変更することができるという作用・効果を奏することができる。
【００５０】
本実施形態の変形例として、一方の留め具３０としての引き輪３０Ａの位置を固定することもできる。この場合には、引き輪３０Ａが係合される環状ピースＡを変更することで第１チェーン１０及び第２チェーン２０の長さを変更することになるため、第１チェーン１０の中間部１０ｃに取り付けられている連想グッズ５０が中央ではなく一方に偏ってしまうおそれがある。このため、この変形例を採用する場合には、連想グッズ５０は、第１チェーン１０に対して位置変更可能に取り付けられるようにしておくとよい。
【００５１】
以上説明した実施形態１の備忘チェーン１及び実施形態２の備忘チェーン２にあっては、バッグ類Ｂに対する装着後に簡単に装着位置を変えることができる。すなわち、図１に示すように、備忘チェーン１，２は、装着後には、閉ループ状の第１チェーン１０及び第２チェーン２０の内側を把手Ｈが貫通している状態となる。このため、備忘チェーン１０，２０は、図１に示す、把手Ｈの一方の端部Ｈ１側から、把手Ｈに沿って移動させて、他方の端部Ｈ２側に簡単に移動させることができる。つまり、備忘チェーン１０，２０の装着位置を、把手Ｈの一方の端部Ｈ１側と他方の端部Ｈ２側とに簡単に切り替えることができる。これにより、例えば、バック類Ｂを持つ手を左手から右手に、またはその逆に左手から右手に持ち替えた場合や、バッグ類Ｂの内側に詰め込んだ荷物の片寄り具合に応じて、好適な側に速やかに切り替えることができる。
【符号の説明】
【００５２】
１  実施形態１の備忘チェーン
２  実施形態２の備忘チェーン
１０  第１チェーン
１０ａ  一方の端部
１０ｂ  他方の端部
１０ｃ  中間部
２０  第２チェーン
２０ａ  一方の端部
２０ｂ  他方の端部
２０ｃ  中間部
３０  第１の留め具
３０Ａ  引き輪
３０ａ  開口部
３１  パイプ（本体）
３４  開閉機構
４０  第２の留め具
４０Ａ  リング
５０  連想グッズ
Ａ，Ａ１〜Ａ１２  環状ピース
Ｂ  バッグ類
Ｆ１  一方の固定部
Ｆ２  他方の固定部
Ｈ  把手
Ｈ１  一方の端部
Ｈ２  他方の端部
Ｍ  バッグ本体
Ｐ  定期入れ
【図１】
2011110145.tif 000003
【図２】
2011110145.tif 000004
【図３】
2011110145.tif 000005